(57)【要約】【課題】画像形成装置本体に設けられている手差し給紙手段を前記画像形成装置本体と一体化される給紙ユニットに取り付けて使用可能とした画像形成システムを提供すること。【解決手段】第１側面カバーの側にあって手差し給紙手段が設置された給紙部を有する画像形成装置本体と、用紙収納手段を内蔵した給紙ユニットと、を含む画像形成システムにおいて、手差し給紙手段を、画像形成装置本体に対して着脱可能となし、また、給紙ユニットにおける上流側の第１側面カバーと下流側の第２側面カバーとの間に、手差し用紙用の用紙搬送経路を設けるとともに、第１側面カバーの側に、手差し給紙手段を取り付けられる給紙部を設け、画像形成装置本体から取り外した手差し給紙手段を、給紙ユニットの給紙部に取り付けるとともに、画像形成装置本体の第１側面カバーと、給紙ユニットの第２側面カバーとを対向させて一体化したことを特徴とする画像形成システム。【選択図】図４
2010126260.tif 000002
【特許請求の範囲】
【請求項１】
画像形成手段、用紙収納手段、および、装置本体の第１側面カバーの側にあって手差し給紙手段が設置された給紙部を有する画像形成装置本体と、
前記画像形成装置本体に対して外付けされる、用紙収納手段を内蔵した給紙ユニットと、を含む画像形成システムにおいて、
前記手差し給紙手段を、前記画像形成装置本体に対して着脱可能となし、また、
前記給紙ユニットにおける上流側の第１側面カバーと下流側の第２側面カバーとの間に、手差し用紙用の用紙搬送経路を設けるとともに、前記給紙ユニットの前記第１側面カバーの側に、前記手差し給紙手段を取り付けられる給紙部を設け、
前記画像形成装置本体から取り外した前記手差し給紙手段を、前記給紙ユニットの給紙部に取り付けるとともに、前記画像形成装置本体の前記第１側面カバーと、前記給紙ユニットの前記第２側面カバーとを対向させて一体化したことを特徴とする画像形成システム。
【請求項２】
前記給紙ユニットは、当該給紙ユニットの前記第１側面カバーの側に設けた給紙部に用紙搬送手段を着脱可能に有し、当該用紙搬送手段は前記画像形成装置本体に設けられた手差し給紙用の給紙部に取り付けられることを特徴とする請求項１に記載の画像形成システム。
【発明の詳細な説明】
【技術分野】
【０００１】
本願発明は、用紙収納手段を内蔵する複写機、プリンタ等の画像形成装置本体に、別体として作製された給紙ユニットを結合せしめ、大量の画像形成を可能とする画像形成システムに係わる。
【背景技術】
【０００２】
例えば、帯電手段、露光手段、現像手段、転写手段等の画像形成手段を用いて、感光体ドラムの表面に形成したトナー像を用紙（転写材の意）上に転写した後、定着手段による加熱・加圧処理を施して、最終の画像物を得る画像形成装置は公知である。
【０００３】
斯様な複写機、プリンタ等の画像形成装置においては、カセット等からなる複数の用紙収納手段が内蔵されているのが一般的である。
【０００４】
これら画像形成装置に対する市場の要望の１つとして高速化があり、そのニーズに応じられるように、従来も高速の画像形成装置の開発が図られてきた。
【０００５】
そして、最近、これら画像形成装置を軽印刷機の代わりとして使用したいという要望が急速に高まっており、大量の画像形成を高速に行うことができるフットワークの良さが望まれるように、メーカを取り巻く環境が変化している。
【０００６】
ところが、通常の画像形成装置は、利便性等の機能の点を考慮して、数種類のサイズの異なる用紙を選択使用することができるようになっており、数個の用紙収納手段が具備されているが、各用紙収納手段に収納される用紙枚数には限界がある。
【０００７】
例えば、各用紙収納手段に収納される用紙枚数は、４００〜５００枚が限度であった。
【０００８】
そこで、オプションとしての給紙ユニットを画像形成装置本体に連結するとともに、例えば、１つのジョブにおける画像形成数が大量に及ぶときには、大量の用紙を内蔵している前記給紙ユニット内の用紙収納手段から給紙する提案がされるようになった。
【０００９】
しかしながら、複写機やプリンタ等の画像形成装置には、手差し給紙手段が付設され、特殊サイズの用紙等が使用できるようになっている。
【００１０】
そして、前記手差し給紙手段は画像形成装置本体の一側面に近接して内蔵され、また、用紙束を積載するための給紙トレイは、前記一側面から外側に突出して設けられているのが普通なので、給紙ユニットの連結には工夫が必要であった。
【００１１】
１つの構成として、手差しトレイを折りたたみ式とし、手差しトレイが折りたたまれた閉姿勢の状態において、手差し給紙機構から給紙ユニットを用いた用紙の供給を可能としたシート供給装置が提案されている（例えば、特許文献１参照。）。
【特許文献１】特開２００６−３４７７５９号公報
【発明の開示】
【発明が解決しようとする課題】
【００１２】
上記特許文献１に開示されたシート供給装置は、手差しトレイを閉状態としても手差し給紙口をそのまま利用できる便利さがある。
【００１３】
しかしながら、そのために、手差しトレイが給紙口を覆わないように、当該手差しトレイを持ち上げておくためのスライド規制部材を含む持ち上げ機構を設けたり、シート供給装置側に、シート束を押し出すスライドユニットを備える等、全体の構成が複雑である。
【００１４】
また、手差しトレイを使っての本来の手差し給紙ができず、更に、シート供給装置を連接して使用する技術的思想はない。
【００１５】
本願発明は上記のような問題点に鑑みてなされたものである。
【００１６】
そして、その主たる目的は、画像形成装置本体に設けられている手差し給紙手段を前記画像形成装置本体と一体化される給紙ユニットに取り付けて使用可能とした画像形成システムを提供することにある。
【００１７】
また、他の目的は、給紙ユニットの一側面に用紙搬送手段を着脱可能に設け、当該用紙搬送手段と前記画像形成装置本体に設けられた手差し給紙手段を交換して取り付け可能とした画像形成システムを提供することにある。
【課題を解決するための手段】
【００１８】
本願発明の目的は、下記の構成要件によって達成することができる。
（１）
画像形成手段、用紙収納手段、および、装置本体の第１側面カバーの側にあって手差し給紙手段が設置された給紙部を有する画像形成装置本体と、
前記画像形成装置本体に対して外付けされる、用紙収納手段を内蔵した給紙ユニットと、を含む画像形成システムにおいて、
前記手差し給紙手段を、前記画像形成装置本体に対して着脱可能となし、また、
前記給紙ユニットにおける上流側の第１側面カバーと下流側の第２側面カバーとの間に、手差し用紙用の用紙搬送経路を設けるとともに、前記給紙ユニットの前記第１側面カバーの側に、前記手差し給紙手段を取り付けられる給紙部を設け、
前記画像形成装置本体から取り外した前記手差し給紙手段を、前記給紙ユニットの給紙部に取り付けるとともに、前記画像形成装置本体の前記第１側面カバーと、前記給紙ユニットの前記第２側面カバーとを対向させて一体化したことを特徴とする画像形成システム。
（２）
前記給紙ユニットは、当該給紙ユニットの前記第１側面カバーの側に設けた給紙部に用紙搬送手段を着脱可能に有し、当該用紙搬送手段は前記画像形成装置本体に設けられた手差し給紙用の給紙部に取り付けられることを特徴とする（１）に記載の画像形成システム。
【発明の効果】
【００１９】
本発明に係わる画像形成システムは、画像形成装置本体に設けられている手差し給紙手段を取り外し、給紙ユニットに取り付ける簡単な構成で、従来通りの手差し給紙による画像形成と、給紙ユニットを用いての大量の画像形成を行うことができる。
【発明を実施するための最良の形態】
【００２０】
以下に、本願発明に係わる実施の形態について図面を基に説明する。
【００２１】
図１は、デジタルカラー複写機からなる画像形成装置本体の構成を示す概略図である。
【００２２】
画像形成装置本体１は、上部に自動原稿送り装置（参照符号無し）を有し、また、画像読み取り部２、画像形成部３、ベルトユニット４、給紙部５、定着装置Ｔ、反転排紙・再給紙部６、用紙の反転搬送手段であるＡＤＵ７、および、手差し給紙手段が設置される給紙部８を有する。
【００２３】
前記画像形成装置本体１については、説明の便宜上、以下、画像形成装置、或いは、装置本体という。
【００２４】
自動原稿送り装置は、原稿を１枚ずつ送り出して画像読み取り位置へと搬送し、画像読み取りが終わった原稿を所定の場所に排出する装置である。
【００２５】
自動原稿送り装置は、原稿載置台１０１、原稿分離手段１０３、原稿搬送部１０５、原稿排紙手段１０７、原稿排紙台１０９、および、両面コピーモードにおいて、原稿の表裏面を反転させるためのローラ対からなる原稿反転手段１１１を有している。
【００２６】
処理プロセスがらみで述べるに、原稿載置台１０１上に載置された複数枚の原稿（不図示）は、原稿分離手段１０３によって１枚ずつ分離され、原稿搬送部１０５を介して画像読み取り位置に向けて搬送される。
【００２７】
原稿読み取り位置は、原稿搬送部１０５の下方部に設けられており、そこで、画像読み取り部２を構成するスリット２０１を介して、原稿の画像が読み取られ、読み取られた原稿は原稿排紙手段１０７によって原稿排紙台１０９上に排出される。
【００２８】
なお、両面コピーモードにおいては、片面が読み取られて搬送されてくる原稿は原稿反転手段１１１により二点鎖線の矢印で示す方向に搬送される。
【００２９】
そして、進行方向における原稿の後端を咬んでいる状態で駆動停止された後の原稿反転手段１１１の逆方向回転により、原稿搬送部１０５を介して、再び画像読み取り位置に導かれた後、原稿排紙手段１０７によって原稿排紙台１０９上に排出される。
【００３０】
上記の工程は、原稿載置台１０１上に載置された原稿の枚数分繰り返される。
【００３１】
画像読み取り部２は、スリット２０１、原稿照射用のランプ２１３と原稿の反射光を反射させる第１ミラー２１５とを一体化した第１ミラーユニット２０５、第２ミラー２１７と第３ミラー２１９とを一体化した第２ミラーユニット２０７を有する。
【００３２】
また、第３ミラー２１９からの反射光を撮像素子上に結像させる結像レンズ２０９、および、結像レンズ２０９によって結像された光像を光電変換して画像情報を得るライン状の撮像素子（以下、ＣＣＤという）２１１を有している。
【００３３】
画像情報は、適宜の画像処理を施された後、一旦、後記する制御手段Ｓ内のメモリに蓄積されるようになっている。
【００３４】
自動原稿送り装置１によって送られている原稿を、画像読み取り部２で読み取る態様においては、第１ミラーユニット２０５及び第２ミラーユニット２０７は、図示の如き位置に固定されている。
【００３５】
画像読み取り部２によって読み取られた各色毎の画像情報は、メモリより順次取り出され、静電荷潜像形成手段である各色毎の露光光学系にそれぞれ電気信号として入力される。
【００３６】
画像形成部３は色分解画像に応じたトナー像を形成するイエロー（Ｙ）、マゼンタ（Ｍ）、シアン（Ｃ）、黒（ＢＫ）の４組の画像形成手段３０（３０Ｙ、３０Ｍ、３０Ｃ、３０ＢＫ）を有する。
【００３７】
各々の画像形成手段３０は、感光層をドラム状の金属基体上に設けた像担持体としての感光体ドラム３１０、帯電器３２０、画像書き込み手段である露光光学系３３０、現像装置３４０、転写手段３５０、クリーニング手段３６０を主要構成要素とする。
【００３８】
なお、露光光学系３３０はレーザ光学系で構成される露光ユニットである。
【００３９】
図においては、イエローの画像形成手段を構成する部材にのみ参照符号を付し、他の画像形成手段は基本的に同じ構成を有するので、図面簡素化という観点から参照符号は省略してある。
【００４０】
現像装置３４０は、磁性キャリア（以下、単にキャリアという）と非磁性トナー（以下、単にトナーという）とを含む二成分現像剤を収納している。
【００４１】
また、現像装置３４０は、周方向に沿って複数の磁石（磁極）を位置固定で内蔵した、可回転、かつ、非磁性の円筒形状からなる現像剤担持体（以下、現像スリーブあるいは単にスリーブと呼称する）と、トナー濃度検知手段（不図示）を有している。
【００４２】
複数の磁石は、現像剤をスリーブ上に磁気的に吸着して担持せしめ、スリーブの回転によって現像領域に搬送させ、次いで、現像処理後の現像剤をスリーブ上から反発磁界を利用して自動的に除去しうるように配列されている。
【００４３】
また、現像装置３４０における現像スリーブには、画像形成動作に所定極性（ここではマイナス極性の直流電圧と交流電圧の重畳）のバイアス電圧が印加されるようになっているが、これらの構成自体はよく知られているので、詳細な説明は割愛する。
【００４４】
更に、各現像装置３４０に関連してトナー補給装置が準備されており、トナー補給装置は、色毎の補給トナーが充填されたトナーボトルを可回転に装着するトナーボトル装着部と、トナーボトルから排出されたトナーを貯留できるトナー貯留室とを有する。
【００４５】
また、転写手段３５０は、後述する中間転写転ベルト４０１を介して感光体ドラム３１０の周面一部に対向しているローラからなるが、放電ワイヤからなる電極を含む通常の転写電極と呼称される態様の構成とすることもできる。
【００４６】
クリーニング手段３６０は転写後の感光体ドラム３１０上に残留するトナーを除去し、除去されたトナーは適宜のパイプ（不図示）を介して下降され、用紙トレイの側部に設置されている廃トナーボックスＤＴに収納されるようになっている。
【００４７】
各々の画像形成手段３０は、縦方向に長く配設された、ベルトユニット４を構成するループ状の中間転写ベルト４０１の一平面（張設面）Ａの進行方向に沿って、上から、イエロー（Ｙ）、マゼンタ（Ｍ）、シアン（Ｃ）、黒（ＢＫ）の順に配列されている。
【００４８】
中間転写ベルト４０１と、中間転写ベルト４０１を回転可能に懸架する支持ローラ４０５、４０６、４０７、および、バックアップローラ４１０等がベルトユニット４を構成する。
【００４９】
また、バックアップローラ４１０は、中間転写ベルト４０１を挟んでバックアップローラ４１０と押圧しながら回転するように対向配置した転写ローラ５１０とで二次転写手段を構成している。
【００５０】
画像形成手段３０とベルトユニット４の構成とによる画像形成は次のようになされる。
【００５１】
画像形成プロセスの開始に伴って、反時計方向に回転する感光体ドラム３１０の表面は帯電器３２０により所定の極性（ここではマイナス極性）に帯電される。
【００５２】
次いで、露光光学系３３０による第１の色信号、即ち、イエロー（Ｙ）の画像信号に対応する露光が施され、イエロー（Ｙ）の画像に対応する潜像が感光体ドラム３１０上に形成される。
【００５３】
前記潜像は、現像装置３４０の現像剤による接触または非接触現像処理により、反転現像されてイエロー（Ｙ）のトナー像に変換された後、転写手段３５０の作用によって中間転写ベルト４０１上に転写される。
【００５４】
第１の色信号による画像形成開始から所定の時間後に順次開始される他の色信号による画像形成は、上記と同様のプロセスにより、マゼンタ（Ｍ）、シアン（Ｃ）、黒（ＢＫ）の各画像形成手段３０によってなされる。
【００５５】
それぞれの画像形成手段で形成された感光体ドラム上の各トナー像は、イエロー（Ｙ）のトナー像のある画像領域と重畳するように順次転写され、中間転写ベルト４０１上に重ね合わせのカラートナー像が形成される。
【００５６】
一方、転写処理終了後の感光体ドラム３１０の表面はクリーニング手段３６０で清掃され、新たな画像形成のための準備が整えられる。
【００５７】
なお、感光体ドラム３１０、あるいは、中間転写ベルト４０１に対する個々の画像形成プロセスの開始タイミングは次のように行う。
【００５８】
即ち、中間転写ベルト４０１の外側であって、中間転写ベルト４０１の回転方向に見て、転写ローラ５１０のある位置から１組目（イエロー）の画像形成手段が設けてある位置までの区間にレジストセンサ４１３を付設しておく。
【００５９】
そして、中間転写ベルト４０１に設けた基準マークを前記レジストセンサ４１３が検知したときを起点として計時を行い、所定時間経過毎に、順次、イエロー（Ｙ）、マゼンタ（Ｍ）、シアン（Ｃ）、黒（ＢＫ）に係わるプロセスを開始させる。
【００６０】
なお、Ｓはコンピュータを含む制御手段（以下、制御部ともいう）で、機械作動のプログラムを内蔵し、一連の画像形成プロセスに係わる制御、給紙制御、トナー濃度制御等、全ての制御を行う。
【００６１】
換言すれば、制御手段Ｓは、演算制御処理を行うＣＰＵと、各種動作プログラムを記憶しているＲＯＭ、演算結果データを記憶するＲＡＭ等を有する。
【００６２】
そして、インターフェースを介して各種センサの出力をＣＰＵに取り込むとともに、その情報を基に、各種のモータ或いは表示手段等を駆動制御する構成を有する。
【００６３】
参照符号Ｐ１、Ｐ２、Ｐ３は、装置本体の下部に設置された３つの用紙トレイ（用紙収納手段）であり、その内側には転写材としての用紙Ｐを積載するための昇降板５８０、５８１、５８２が準備されている。
【００６４】
昇降板５８０、５８１、５８２は、昇降板をその一部に固定したワイヤＷ１、Ｗ２、Ｗ３、前記ワイヤを懸架するプーリ（参照符号なし）、前記プーリを有する主動軸に対して動力を付与するモータ（不図示）等を含む昇降板駆動手段（昇降機構）により昇降されるようになっている。
【００６５】
ＤＴは前述した如くの廃トナーボックスであり、用紙トレイＰ１、Ｐ２、Ｐ３の側部にあり、用紙トレイの引き出し方向（図において手前側）と同一方向に取り出し可能である。
【００６６】
廃トナーボックスＤＴ、および、用紙トレイＰ１、Ｐ２、Ｐ３を囲んでいる二点鎖線は、廃トナーボックスＤＴの収納部前面をカバーする外装扉と、用紙トレイの前面をカバーする正面扉を示す。
【００６７】
用紙トレイＰ１、Ｐ２、Ｐ３の送り出し部には給紙ローラ５０３、５１３、５２３と、分離ローラ５０６、５１６、５２６、及び、搬送ローラＲ１、Ｒ２、Ｒ３が備えられ、これらローラで繰り出された用紙ＰはＲ４〜Ｒ７が配設されている搬送路に沿って搬送される。
【００６８】
５９はレジストローラで、搬送ローラＲ７よりも下流であって、二次転写部に近接した位置に設けられている。
【００６９】
搬送路上であって二次転写部（転写ローラ５１０のある位置）より下流に設置されているのは、加熱源を内蔵した第１定着ローラＴ１と、第１定着ローラと圧接しながら回転する第２定着ローラＴ２を主要素とする定着装置Ｔである。
【００７０】
６００は排紙ローラを示し、６５０は排紙された用紙を積載収納する排紙トレイを示す。
【００７１】
反転排紙・再給紙部６とＡＤＵ７に係わる用紙搬送路形態、および、搬送制御については公知であり、また、本願発明に直接関係しないので説明は割愛する。
【００７２】
手差し給紙手段が設けられる給紙部（以下、説明の便宜上、手差し給紙部という）８は、排紙トレイ６５０が配置された装置本体１の第２側面カバー８０１と所定の距離をもって対向する第１側面カバー８００の側に設けられている。
【００７３】
そして、手差し給紙手段８０と分離手段８３とが装置本体内に設けられ、手差し用の用紙を積載できる給紙トレイ８５は、その一部が第１側面カバー８００から外側に突出して設けられている。
【００７４】
本実施の形態においては、手差し給紙手段８０と分離手段８３はローラで構成してあるが、他の形態でもよい。
【００７５】
また、本実施の形態において、手差し給紙手段８０、分離手段８３、および、給紙トレイ８５は一体的な構造物として着脱可能に装置本体の固定部材に取り付けられている。
【００７６】
なお、手差し給紙手段８０と分離手段８３とを一体的に構成するとともに、給紙トレイ８５を単体として構成することもでき、設計上の自由度は広い。
【００７７】
手差し給紙手段８０、分離手段８３、および、給紙トレイ８５は、図２の概念図で示すように、枠体８１０の側壁（図において表裏方向で対向している壁：参照符号無し）に支持されている。
【００７８】
なお、以後の説明において、手差し給紙手段８０、分離手段８３、および、給紙トレイ８５、および、枠体８１０からなる構造物を指すときは、便宜上、手差し給紙装置８５０と呼称する。
【００７９】
手差し給紙装置８５０は、装置本体側に固定して設けられた、断面が略コの字状の上下のガイドレール（二点鎖線で示される）８１１上を摺動できる。
【００８０】
そして、ネジ等の適宜の取付手段（不図示）を介して装置の外側から装置本体１に固定される。
【００８１】
手差し給紙装置８５０の装置本体からの取り外しは、取付手段による固定を解除した後、図１において右側に引き出すことによりなされる。
【００８２】
なお、ガイドレール８１１のうち下側のガイドレールは、手差し給紙装置が取り除かれた後であって、給紙ユニット９側から送られてくる用紙Ｐのガイド板として機能するように、図示の如くに、搬送ローラＲ６のニップ部近傍まで延設しておくことができる。
【００８３】
次に、中間転写ベルト４０１上に形成されたカラートナー画像が用紙Ｐ上に転写され、装置外に排紙されるまでの工程を簡単に説明する。
【００８４】
中間転写ベルト４０１上における画像形成に対応した適宜のタイミングで、例えば、用紙トレイＰ１内の用紙Ｐが給紙ローラ５０３によって給紙されるものとする。
【００８５】
用紙トレイＰ１から送り出された用紙Ｐは、分離ローラ５０６、および搬送経路上に設けた複数の搬送ローラＲ１〜Ｒ７により挟持搬送されて転写部（転写領域）の手前位置に設けられているレジストローラ５９に向けて搬送される。
【００８６】
給紙される用紙Ｐは、記録枚数、記録開始釦、または、記録倍率や画像濃度等を設定することができる操作表示板１５０上で指定・選択されたサイズのシート材である。
【００８７】
用紙Ｐは、レジストローラ５９にその先端が当接された後、レジストローラ５９の回転再開により、中間転写ベルト４０１上のカラートナー像領域と重畳するタイミングで再給紙される。
【００８８】
次いで、用紙Ｐは二次転写部においてバックアップローラ４１０と転写ローラ５１０とにより中間転写ベルト４０１とともに押圧挟持され、この間に、中間転写ベルト４０１上のカラートナー画像が用紙Ｐ上に転写される。
【００８９】
転写の際、転写ローラ５１０に適宜の転写バイアス電圧を印加するように構成することが望ましい。
【００９０】
トナー像が転写された用紙Ｐは中間転写ベルト４０１から分離され、搬送ベルト（不図示）により定着装置Ｔに向けて搬送され、加熱・加圧処理を受けることによりトナーが溶融され、用紙Ｐ上に定着される。
【００９１】
定着装置Ｔによる定着処理終了後の用紙Ｐは、その下流に設けてある排紙ローラ６００により搬送され、装置本体外に設けてある排紙トレイ６５０上に排出される。
【００９２】
一方、二次転写終了後の中間転写ベルト４０１の表面は、クリーニング手段４０によってクリーニングされ、新たなトナー像を担持する準備がなされる。
【００９３】
また、図において、通路切替部材６０１の図示上の位置は、定着処理後に用紙Ｐを反転することなく排出する場合の位置である。
【００９４】
用紙の反転排出時には、通路切替部材６０１が所定量回動され、定着後の用紙Ｐは通路切替部材６０１の右辺に沿って下方に案内される。
【００９５】
次いで、ローラ６０２によって後端が挟持された状態とされた後のローラ６０２の逆回転により、用紙Ｐは通路切替部材６０１の左側の辺に沿って上昇せしめられ、排紙ローラ６００を介して排出される。
【００９６】
更に、ＡＤＵ７を用いる両面コピーモードの場合、片面に画像が形成された定着処理後の用紙Ｐは前記通路切替部材６０１の右側の辺に沿って下方に案内され、用紙Ｐの後端がローラ対６０５により挟持された状態で搬送停止される。
【００９７】
次いで、ローラ対６０５を逆回転せしめ、ガイド板（不図示）に沿って上昇させ、複数のローラ対７０１、７０２、７０３を有するＡＤＵ７に導いて用紙Ｐの反転を達成する。
【００９８】
用紙Ｐの第２面に対する画像形成プロセスは前述と基本的に同じであり、また、定着装置Ｔから送り出された後の排出路については前述した何れかが選択される。
【００９９】
手差し給紙を利用しての画像形成は、給紙トレイ８５上に適宜のサイズの用紙を積載するとともに、操作表示板１５０上で装置本体を手差し給紙モードに設定することで行われる。
【０１００】
即ち、画像形成指令に基づく前述の如きプロセスを介して中間転写ベルト４０１にカラートナー像が形成され、画像形成プロセスに対応したタイミングで、手差し給紙手段８０により用紙Ｐが給紙される。
【０１０１】
用紙Ｐは分離手段８３の作用によって１枚に分離され、搬送ローラＲ６、Ｒ７を経て、回転停止中のレジストローラ５９に達する。
【０１０２】
次いで、レジストローラ５９の回転再開により、中間転写ベルト４０１上のカラートナー像領域と重畳するタイミングで再給紙される。
【０１０３】
以後の二次転写あるいは定着装置による定着処理を経ての機外への排出、あるいは、両面画像形成された後の排出までの態様は、前述の用紙トレイＰ１からの用紙に準えて説明済みであるので、説明は省略する。
【０１０４】
なお、上記の画像形成プロセスにおいて、現像剤中のトナー濃度はトナー濃度検知センサにより検知され、その出力情報は制御手段Ｓに取り込まれて演算され、設定されている閾値と比較される。
【０１０５】
そして、トナー補給が必要であると制御手段Ｓが判断すると、制御手段Ｓの指令に基づいてトナー搬送手段が駆動され、必要なトナー量が現像装置３４０内に補給されることになる。
【０１０６】
一方、感光体ドラム上からクリーニング手段３６０により除去されたトナーは廃トナーボックスＤＴに送られて収納される。
【０１０７】
なお、９は、本願発明に係わる給紙装置を内蔵したオプションの給紙ユニットを示し、給紙ユニット９は、画像形成装置本体と一体的に結合されて画像形成システムを構成する（給紙ユニットの構成の詳細は後記する）。
【０１０８】
図３は、本願発明に係わる給紙ユニット９の構成を説明するための概略図である。
【０１０９】
図３において、給紙ユニット９内には箱状の用紙収納手段Ｐ２０、Ｐ２１、Ｐ２２が上下方向に備えられている。
【０１１０】
用紙収納手段Ｐ２０、Ｐ２１、Ｐ２２の各々は大容量の収納手段であり、装置本体１内に備えられたそれぞれの用紙収納手段Ｐ１等が収納できる用紙枚数に対して、例えば、１０００枚の如くの大量の用紙を収納することができる。
【０１１１】
また、各々の用紙収納手段の上方であって、用紙先端部を含む前方寄りの位置には、給紙手段であるエンドレス状の吸着ベルトＳＢ２０、ＳＢ２１、ＳＢ２２を含む用紙吸引搬送手段ＶＴ２０、ＶＴ２１、ＶＴ２２が設けられている。
【０１１２】
用紙収納手段Ｐ２０、Ｐ２１、Ｐ２２は、大量の用紙Ｐを積載収納できる容量を有するとともに、上下方向に移動可能な昇降板９６０、９６１、９６２を備えており、また、昇降板９６０、９６１、９６２を含んで図面の手前側に引き出し可能に設けられている。
【０１１３】
また、昇降板９６０、９６１、９６２は、積載された用紙が画像形成に使用されて減少すると適宜に上昇され、積載用紙の上面位置を略一定位置とするように制御される。
【０１１４】
昇降板９６０、９６１、９６２は、例えば、図１における昇降板と同様に、ワイヤ、当該ワイヤを懸架するプーリ、モータからなる駆動源等を含む昇降板駆動手段（昇降機構）を介して上昇、上昇停止、および下降駆動されるようになっている。
【０１１５】
高さ方向における用紙の位置規制は、例えば、上部の用紙を検知するセンサ（不図示）の出力変化を制御手段Ｓで判断し、必要に応じて昇降板９６０、９６１、９６２を上昇させることにより達成できる。
【０１１６】
前記吸着ベルトの最下面（平行平面の内の下側の面の位置の意で、用紙搬送面であり、かつ、収納されている用紙の最上位紙と対向する面）と積載された用紙Ｐの最上位紙との間には間隙が形成されている。
【０１１７】
ここで、用紙Ｐの搬送経路を説明すると次のようになる。
【０１１８】
吸着ベルトＳＢ２０、ＳＢ２１、ＳＢ２２による用紙Ｐの給紙方向は、用紙収納手段Ｐ２０の引き出し方向と直交する方向（図における左側方向）である。
【０１１９】
吸着ベルトＳＢ２０により給紙される用紙Ｐは、図の左側において、吸着ベルトＳＢ２０の最下面と略同じ高さ位置にニップ部を有する搬送ローラＲ２０に挟持される。
【０１２０】
その後、搬送ローラＲ２０により搬送されるとともに、ガイド板（参照符号無し）の作用を受けて下方向に向きを変えられる。
【０１２１】
次に、垂直方向に設けた搬送ローラＲ２３〜Ｒ２７により下方に搬送され、ガイド板（参照符号無し）で図の左側にガイドされた後、回転停止状態にある搬送ローラＲ２８に先端を当接して停止される。
【０１２２】
搬送ローラＲ２８は、画像形成プロセスとのタイミングをとるためのレジストローラとしての機能を果たしている。
【０１２３】
その後、搬送ローラ２８等の回転開始に伴って、用紙Ｐは画像形成装置内に送り込まれる。これらの給紙制御は、前述した制御手段Ｓにより行うことができる。
【０１２４】
同様に、吸着ベルトＳＢ２１により用紙収納手段Ｐ２１から給紙される用紙Ｐは、図の左側において、吸着ベルトＳＢ２１の最下面と略同じ高さ位置にニップ部を有する搬送ローＲ２１に挟持され、搬送される。
【０１２５】
しかる後、ガイド板の作用を受けるとともに、搬送ローラＲ２６、Ｒ２７により下方に搬送され、搬送ローラＲ２８に先端を当接した状態で停止され、搬送ローラＲ２８の回転開始に伴って画像形成装置内に送り込まれる。
【０１２６】
更に、吸着ベルトＳＢ２２により用紙収納手段Ｐ２２から給紙される用紙Ｐは、図の左側において、吸着ベルトＳＢ２２の最下面と略同じ高さ位置にニップ部を有する搬送ローラＲ２２、Ｒ２９により挟持・搬送される。
【０１２７】
そして、ガイド板で上方向に向けられた後、送ローラＲ２８に先端を当接した状態で停止され、搬送ローラＲ２８の回転開始に伴って画像形成装置内に送り込まれる。
【０１２８】
なお、９１で示されるのは給紙部で、給紙ユニット９において上流側（用紙Ｐが給紙されて装置本体側に搬送されるその大雑把な移動方向においての表現である）にある第１側面カバー９００の側に設けられている。
【０１２９】
９０１は下流側にある第２側面カバーで、前述の用紙収納手段等を挟んで第１側面カバー９００と対向している。
【０１３０】
給紙部９１には、給紙ユニット９と装置本体１との一体化に先だって、画像形成装置本体の手差し給紙部から取り外される手差し給紙手段８０（実質的には、手差し給紙装置８５０）を取り付けることができ、システム上、手差し給紙を可能とするものである。
【０１３１】
給紙部９１の構成は、図２に示されると同様のガイドレールを備えることにより手差し給紙装置８５０を設置することができ、また、例えば、ネジにより給紙ユニットの外側から当該給紙ユニットの固定部に取り付けることができる。
【０１３２】
９３は略水平の用紙搬送経路で、第１側面カバー９００と第２側面カバー９０１との間に設けられており、その一端は手差し給紙装置８５０に、また、他端は搬送ローラＲ２８のニップ部に整合している。
【０１３３】
換言すれば、用紙搬送経路９３は、給紙部９１に設置される手差し給紙装置８５０により給紙される用紙Ｐの移動通路となる。
【０１３４】
Ｒ３０、Ｒ３１、Ｒ３２は用紙搬送経路９３上に設けられた搬送ローラである。
【０１３５】
装置本体１と給紙ユニット９とが一体化された画像形成システムを図４に示す。
【０１３６】
図４において、給紙ユニット９は要部のみ示す。
【０１３７】
画像形成システムは、装置本体１の第１側面カバー８００と給紙ユニット９の第２側面カバー９０１とを対面（対向）させ、一体化させることによってなされる。
【０１３８】
なお、給紙ユニット９に取り付けられた手差し給紙装置８５０、および、用紙搬送経路９３を用いての用紙搬送については、上述の説明で事足りると思われるので説明は省略する。
【０１３９】
なお、上記の給紙ユニットの構成に代えて、給紙部９１に用紙搬送手段を着脱可能に有する給紙ユニットとすることができる。
【０１４０】
図５は、斯様な用紙搬送手段を有する給紙ユニットと装置本体とを模式的に示す図であり、図６は給紙ユニットと装置本体とを一体化した画像形成システムを模式的に示す図である。
【０１４１】
図５において、給紙ユニット９の給紙部９１には、一対のローラからなる用紙搬送手段９５が着脱可能に設けられている。
【０１４２】
また、前記用紙搬送手段９５と装置本体１側の手差し給紙装置８５０とは、互いに交換して取り付けることが可能な関係を有する。
【０１４３】
例えば、取り付けの主体部を同じ外形にすることにより交換設置が可能となる。
【０１４４】
そして、前記装置本体１と給紙ユニット９とを一体化するに先立って、手差し給紙装置８５０と用紙搬送手段９５とを交換した後、両者を結合させることにより、図６に示す画像形成システムが構成される。
【０１４５】
上記の構成による画像形成システムは、例えば、給紙ユニット９の第２側面カバー９０１近傍に設けられた搬送ローラＲ２８から装置本体１内の搬送ローラＲ６（図１参照）迄の寸法が使用される用紙に対して長い場合でも、用紙の搬送に支障を来す危惧を除去し、安定した用紙搬送を実現できる。
【０１４６】
上記の２つの実施の形態に示される画像形成システムは、１台の給紙ユニット９を使用するものであるが、給紙ユニット９を、例えば、複数台連結して使用することも考えられる。
【０１４７】
図７は、２台の給紙ユニットを連結して使用する形態の画像形成システムを模式的に示す図である。
【０１４８】
この場合、上流側の給紙ユニット９Ａが有する用紙搬送手段９７と装置本体１が有する手差し給紙装置８５０とを交換し、下流側の給紙ユニット９Ｂはそのままの状態で一体化することにより、更に大量の画像形成を可能とする。
【０１４９】
即ち、画像形成装置の機能を高め、軽印刷機の代用としての役割を十分に果たすことができる。
【０１５０】
なお、この実施の形態における給紙ユニット９Ｂの用紙搬送経路９３Ｂは、給紙ユニット９Ａにおける手差し給紙装置８５０により給紙される用紙Ｐの専用の搬送経路ではなく、用紙収納手段Ｐ２０Ａ、Ｐ２１Ａ、Ｐ２２Ａから給紙される用紙の搬送経路でもある。
【０１５１】
なお、全ての形態において手差し給紙装置を給紙ユニットの給紙部に設けるものとし、当該手差し給紙装置は分離手段を含むとしたが、分離手段がなくとも、用紙を確実に１枚ずつ給紙できるのであれば、分離手段を除去することができる。
【０１５２】
その場合、手差し給紙装置は、手差し給紙手段と給紙トレイとを主要素とした構成となる。
【０１５３】
また、手差し給紙手段、あるいは、手差し給紙手段と分離手段を駆動する動力伝達手段については、動力源となるモータやギヤトレインを前記枠体８１０上に一緒に設けることができる。
【０１５４】
あるいは、装置本体側の駆動系から動力を貰えるようにしたり、給紙ユニット側に取り付けたときは、当該給紙ユニットに備えられる駆動系に機械的に接続できるようにしてもよい。
【０１５５】
前記駆動系路の確立および、手差し給紙手段等の駆動タイミング制御等に関しては、公知技術を適宜に使用することにより達成することができ、また、その機械的構成や制御方法は直接本願発明を構成しないことから、説明は割愛する。
【０１５６】
いずれにせよ、本願発明は上記の実施の形態に拘束されるものではなく、特許請求の範囲に記載された技術的思想を逸脱することのない応用・変形を包含するものである。
【図面の簡単な説明】
【０１５７】
【図１】デジタルカラー複写機からなる画像形成装置本体の構成を示す概略図である。
【図２】手差し給紙手段、分離手段、および、給紙トレイが一体的構造物となっていることを示す概念図である。
【図３】本願発明に係わる給紙ユニットの構成を説明するための概略図である。
【図４】装置本体と給紙ユニットとからなる画像形成システムを示す概略図である。
【図５】用紙搬送手段を有する給紙ユニットと装置本体とを模式的に示す図である。
【図６】給紙ユニットと装置本体とからなる画像形成システムを示す模式図である。
【図７】２台の給紙ユニットを連結して使用する形態の画像形成システムを模式的に示す図である。
【符号の説明】
【０１５８】
１  自動原稿送り装置
２  画像読み取り部
３  画像形成部
４  ベルトユニット
５  給紙部
６  反転排紙・再給紙部
７  ＡＤＵ
８  給紙部（手差し給紙部）
８０  手差し給紙手段
８３  分離手段
８５  給紙トレイ
８５０手差し給紙装置
９  給紙ユニット
９１  給紙部
９３  用紙搬送経路
９５  用紙搬送手段
９００  第１側面カバー
９０１  第２側面カバー
【図１】
2010126260.tif 000003
【図２】
2010126260.tif 000004
【図３】
2010126260.tif 000005
【図４】
2010126260.tif 000006
【図５】
2010126260.tif 000007
【図６】
2010126260.tif 000008
【図７】
2010126260.tif 000009